(57)【要約】【課題】クリップにおいて、当該クリップに挟み込む物品の厚さに即したロックを掛けることを可能にする。【解決手段】対をなすクリップ部材２・３が、軸部材４を介して互いに揺動可能に結合されて、付勢部材５により互いに閉じ方向に付勢されたクリップ１において、当該クリップ１の開動作を抑止するロック構造であって、当該クリップ１に物品を挟み込んだ状態で、操作部材６を操作することにより、前記物品の厚みに応じた当該クリップ１の開閉幅において当該クリップ１の開動作を抑止するロック構造、を備える。操作部材は、一方のクリップ部材３で軸部材４側の一端部に、他端部の方向へスライド動作可能で複数の位置で停止可能に組み付けられたスライド部材６である。【選択図】図５
2019190507.tif 000002
【特許請求の範囲】
【請求項１】
対をなすクリップ部材が、軸部材を介して互いに揺動可能に結合されて、付勢部材により互いに閉じ方向に付勢されたクリップにおいて、
当該クリップの開動作を抑止するロック構造であって、当該クリップに物品を挟み込んだ状態で、操作部材を操作することにより、前記物品の厚みに応じた当該クリップの開閉幅において当該クリップの開動作を抑止するロック構造、
を備えることを特徴とするクリップ。
【請求項２】
前記操作部材は、前記対をなすクリップ部材の一方のクリップ部材で前記軸部材側の一端部に、他端部の方向へスライド動作可能で複数の位置で停止可能に組み付けられたスライド部材であり、
前記ロック構造は、
前記スライド部材と、
前記スライド部材と前記対をなすクリップ部材の他方のクリップ部材とが互いに接触して、前記スライド部材のスライド動作の過程において、前記付勢部材の付勢力に抗して前記複数の位置で前記他方のクリップ部材に対し前記スライド部材をほぼ連続的に乗り上げ動作させる段階的乗り上げ動作部と、
前記スライド部材と前記一方のクリップ部材とが互いに接触して、前記スライド部材のスライド動作の過程において、前記スライド部材を前記複数の位置で係合して停止させる段階的係合停止部を備えることを特徴とする請求項１に記載のクリップ。
【請求項３】
前記スライド部材には、当該スライド動作の過程において、前記付勢部材の付勢力に抗して前記複数の位置で前記他方のクリップ部材に対し当該スライド部材をほぼ連続的に乗り上げ動作させる段階的傾斜状突起が形成されていることを特徴とする請求項２に記載のクリップ。
【請求項４】
前記段階的係合停止部は、前記一方のクリップ部材の一端部側から順に離れて形成された複数の係合凹部と、前記スライド部材に形成されて前記複数の係合凹部に順に係合する係合凸部と、を備え、
前記係合凸部及び前記係合凹部はそれぞれＲが付けられており、前記スライド部材のスライド移動が可能となっていることを特徴とする請求項２又は３に記載のクリップ。
【請求項５】
前記スライド部材に前記軸部材を通す長穴が形成されていることを特徴とする請求項２から４のいずれか一項に記載のクリップ。
【請求項６】
前記他方のクリップ部材で前記軸部材側の一端部に、クリップの開閉操作の際に指でつまむためのつまみ部を備えることを特徴とする請求項２から５のいずれか一項に記載のクリップ。
【請求項７】
前記つまみ部にストラップ通し穴が形成されていることを特徴とする請求項６に記載のクリップ。
【請求項８】
前記他方のクリップ部材は、小型電子機器を装着して保持するケース部品であり、
前記ケース部品及び前記一方のクリップ部材には、前記小型電子機器の識別子を露出する貫通穴が形成されていることを特徴とする請求項２から７のいずれか一項に記載のクリップ。
【発明の詳細な説明】
【技術分野】
【０００１】
本発明は、クリップに関する。
【背景技術】
【０００２】
ウェアラブル端末の中には、端末付属の、又は端末と一体で構成されたクリップで衣服等を挟みこむことで、ウェアラブル端末をユーザに装着するタイプのものがある。このようなウェアラブル端末では、単純なバネ力のみで衣服等を挟んでいるため、激しい運動を行った際や端末に衝撃が加わった際に、衣服等から抜け落ちる恐れがある。
【０００３】
抜け落ち防止のため、特許文献１において、物品を挟んだ状態でも開放を制限することが可能なクリップが提案されている。
このクリップは、クリップ本体と挟持片の操作部との間にロック部材を配置して、挟持片の挟持部のクリップ本体に対する開き量を制限する。ロック部材は、四角柱状に形成されており、クリップ本体に対し挟持片を揺動自在に支持する支軸に最も接近した最大制限位置、支軸から最も離れた最小制限位置、及びそれら最大制限位置及び最小制限位置との間の少なくとも一つの中途制限位置のそれぞれにて保持可能な状態でクリップ本体に取り付けられている。
クリップ本体には、最大制限位置と最小制限位置とを結ぶ位置調整方向に延びる一対の支持壁が設けられており、その支持壁には、位置調整方向に延びるガイド部がそれぞれ設けられている。ロック部材はガイド部間に架け渡された支持部材に支持されており、ガイド部には、支持部材を受け入れる少なくとも３つの凹部が位置調整方向に沿って設けられている。支持部材を受け入れる凹部を変更することにより、ロック部材の位置を最大制限位置、最小制限位置及び中途制限位置の間で選択的に変化させる。
挟持片には、ロック部材の四角柱状と接する部分に、位置調整方向に沿って支軸から離れるほど段階的に高さが減少する階段状の突当部が設けられている。突当部は、直角な階段状で、ロック部材の四角柱状の直角部に順次接する。
【先行技術文献】
【特許文献】
【０００４】
【特許文献１】特開２００５−２４１００４号公報
【発明の概要】
【発明が解決しようとする課題】
【０００５】
しかし、特許文献１のクリップでは、挟持片の突当部は、ロック部材の四角柱状の直角部に順次接する直角な階段状のため、クリップ本体と挟持片の間に物品を挟んだ状態では、ロック部材の位置を最大制限位置、最小制限位置及び中途制限位置に自由に動かすことができなかった。
したがって、特許文献１のクリップを、例えばウェアラブル端末の身体装着用として用いようとしても、衣服の厚さによってはロックをかけて衣服を締め付けることができないという問題が生じる。
【０００６】
本発明の課題は、クリップにおいて、当該クリップに挟み込む物品の厚さに即したロックを掛けることが可能なロック構造を提供することである。
【課題を解決するための手段】
【０００７】
以上の課題を解決するため、本発明は、
対をなすクリップ部材が、軸部材を介して互いに揺動可能に結合されて、付勢部材により互いに閉じ方向に付勢されたクリップにおいて、
当該クリップの開動作を抑止するロック構造であって、当該クリップに物品を挟み込んだ状態で、操作部材を操作することにより、前記物品の厚みに応じた当該クリップの開閉幅において当該クリップの開動作を抑止するロック構造、
を備えることを特徴とする。
【発明の効果】
【０００８】
本発明によれば、クリップにおいて、当該クリップに挟み込む物品の厚さに即したロックを掛けることが可能なロック構造を提供することができる。
【図面の簡単な説明】
【０００９】
【図１】本発明を適用したクリップの一実施形態の構成を示すもので、クリップを閉じた状態の概略斜視図である。
【図２】図１の矢印Ａ−Ａ線に沿った断面図である。
【図３】図１の矢印Ｂ−Ｂ線に沿った断面図である。
【図４】図１のクリップを開いた非ロック状態を示すもので、図３と異なる部分の全体断面図である。
【図５】図４のクリップを閉じる過程での一段階目のロック状態の全体断面図である。
【図６】図５のクリップをさらに閉じた二段階目のロック状態の全体断面図である。
【図７】図１のクリップに小型電子機器を装着した状態を示す概略斜視図である。
【図８】図７の小型電子機器を装着した状態のクリップの平面図である。
【発明を実施するための形態】
【００１０】
以下、図を参照して本発明を実施するための形態を詳細に説明する。
（実施形態）
図１から図３は本発明を適用したクリップの一実施形態の構成を示すもので、図示のように、クリップ１は、対をなすクリップ部材を構成するケース部品２とクリップ部品３とが、互いの一端部側を軸部材４によって連結されていて、これらケース部品２とクリップ部品３との一端部側間に付勢部材であるねじりコイルバネ５が挟み込まれている。
すなわち、ケース部品２とクリップ部品３は、各々左右一対のボス部２１・３１を貫通する軸部材４により互いに揺動可能に結合されていて、ねじりコイルバネ５により常時閉じる方向に付勢されており、このねじりコイルバネ５のコイル部に軸部材４が通されている。
【００１１】
ケース部品２は、図７及び図８に示すように、小型電子機器であるウェアラブル端末１０の四隅部に接触して内側の爪部２３により保持する端末保持部２２を四隅部に有しており、そのうち一つの端末保持部２２から連続して、ウェアラブル端末１０の一側部を覆うカバー部２４を有している。
【００１２】
また、図１から図３に示したように、クリップ部品３の上面における軸部材４側の一端部に形成した凹段面部３２に、クリップ部品３の軸部材４と反対側の他端部の方向へスライド動作可能なスライド部材であるロック部品６が組み付けられている。
ロック部品６は、クリップ部品３の下面側に突出する左右一対の突片部６１を有し、この突片部６１にクリップ部品３の長さ方向に沿った長穴６２が形成されており、この長穴６２に軸部材４が通されている。
クリップ部品３に対しロック部品６を押し込むことで、ロック部品６がスライド動作する。このロック部品６は、その下面の左右中央に、クリップ部品３の凹段面部３２に接触する一個の係合凸部６３を有している。
【００１３】
そして、図３に示すように、クリップ部品３は、その軸部材４側の一端部の左右中央に、その一端部側から順に離れた三個の第一係合凹部３３、第二係合凹部３４及び第三係合凹部３５を有している。この係合凹部３３・３４・３５及び係合凸部６３はそれぞれＲが付けられており、ロック部品６のスライド移動が可能となっており、ロック部品６をスライド移動することにより、この三個の係合凹部３３・３４・３５の各々に、ロック部品６の係合凸部６３が順に係合する。
以上の係合凸部６３及び係合凹部３３・３４・３５により、ロック部品６のスライド移動の過程において、ロック部品６を二つの位置で係合して停止させる段階的係合停止部７が構成されている。
この段階的係合停止部７によって、ロック部品６は、図示のように、クリップ部品３の第一係合凹部３３に係合凸部６３が係合した状態を初期位置として、ロック部品６のスライド移動の過程において、クリップ部品３の第二係合凹部３４及び第三係合凹部３５に対して係合凸部６３が順に二段階で各々係合して、そのスライド位置にそれぞれ停止状態にロックできる。
【００１４】
さらに、図３及び図４に示すように、ケース部品２は、その軸部材４側の一端部の左右に一対の押し上げ用凸部２５を有し、ロック部品６は、ケース部品２の押し上げ用凸部２５にそれぞれ接触して二段階で乗り上がる一対の段階的傾斜状突起６５を有している。
この段階的傾斜状突起６５及び押し上げ用凸部２５により、ねじりコイルバネ５の付勢力に抗して前記二つの位置でクリップ部品３に対しロック部品６をほぼ連続的に乗り上げ動作させる段階的乗り上げ動作部８が構成されている。
【００１５】
すなわち、段階的傾斜状突起６５は、突片部６１との間の空所部６４に、ケース部品２の押し上げ用凸部２５が位置した状態を初期位置として、ロック部品６のスライド移動の過程において、図５に示すように、空所部６４から傾斜面により連続して押し上げ用凸部２５の上に乗り上がる突起６５ａと、図６に示すように、その突起６５ａから僅かな傾斜面により連続して僅かに突出して、押し上げ用凸部２５の上に乗り上がる突起６５ｂとから構成されている。
こうして、ロック部品６の段階的傾斜状突起６５が、ケース部品２の押し上げ用凸部２５に接触して乗り上がることで、ケース部品２に対するクリップ部品３の開き角度をコントロールでき、その開き角度位置にそれぞれ停止状態にロックできる。
【００１６】
さらに、クリップ１をつまみやすくするために、ケース部品２の軸部材４側の一端部中央に突出するつまみ部２７を設けている。このつまみ部２７にストラップ通し穴２８が形成されている。
【００１７】
また、図７及び図８に示すように、小型電子機器であるウェアラブル端末１０の出力情報の識別子である三個のＬＥＤ１１・１２・１３がケース部品２によって隠されるため、ケース部品２とクリップ部品３には、図示のように、各ＬＥＤ１１・１２・１３を外部から視認できる三個の長穴による貫通穴２９・３９がそれぞれ形成されている。
すなわち、ケース部品２には、三個のＬＥＤ１１・１２・１３を囲む矩形状の貫通穴２９が形成されている。
そして、クリップ部品３には、各ＬＥＤ１１・１２・１３をそれぞれ囲む三個の長穴による貫通穴３９が形成されている。
以上の貫通穴２９・３９により、ケース部品２及びクリップ部品３の存在によってＬＥＤ１１・１２・１３が奥まった位置にあるため、屋外の日光の下でもＬＥＤ１１・１２・１３の発光が見やすくなっている。
すなわち、クリップ部品３に形成された三個の貫通穴３９を見るだけで、ウェアラブル端末１０に備えられた三個のＬＥＤ１１・１２・１３のうち、どのＬＥＤが光っているかを一目で分かる。
【００１８】
図４はクリップ１を開いた非ロック状態を示すもので、クリップ部品３に対し押し込む前の位置にあるロック部品６は、図示のように、突片部６１の長穴６２の図示左端部に軸部材４が接触した状態で、図３に示すように、係合凸部６３がクリップ部品３の第一係合凹部３３に係合した状態にある。
この状態で、ケース部品２のつまみ部２７とロック部品６の突出端部を指でつまんで、ケース部品２に対し、矢印Ｐ１のように、ロック部品６の突出端部を押し下げると、ロック部品６の空所部６４にケース部品２の押し上げ用凸部２５が接触して突き当たった状態になる。
これにより、ケース部品２に対しクリップ部品３が開閉幅０〜開閉幅Ｌ（最大開閉幅）の間で開動作が規制され、そのケース部品２とクリップ部品３との間に衣服の布地を挿入して、つまみ部２７とロック部品６から力を開放すると、矢印Ｄのように、ねじりコイルばね５の付勢力によって、ケース部品２とクリップ部品３の先端部間に、図示しない衣服の布地が挟み込まれて、図７及び図８に示したウェアラブル端末１０を保持したクリップ１が、人体の衣服に装着された状態となる。
【００１９】
図５は図４のクリップ１を閉じる過程での一段階目のロック状態を示すもので、ケース部品２とクリップ部品３との間に物品が存在しない状態では、ケース部品２のつまみ部２７とロック部品６の突出端部を指でつまんで、ケース部品２に対し、矢印Ｐ１のように、ロック部品６の突出端部を押し下げると、ケース部品２に対しクリップ部品３が開閉幅０〜開閉幅Ｓの間で開動作が規制される。図４の開閉幅０〜開閉幅Ｌの開状態で、厚さが開閉幅Ｓより厚く、開閉幅Ｌより薄い衣服の布地Ｃを挿入して、つまみ部２７とロック部品６から力を開放すると、矢印Ｄのように、ねじりコイルばね５の付勢力によって、ケース部品２とクリップ部品３の先端部間に、衣服の布地Ｃが挟み込まれる。衣服の布地Ｃが挟み込まれた状態で、ケース部品２に対し、矢印Ｐ２のように、ロック部品６を押し込むと、ロック部品６は、図示のように、長穴６２の中間部に軸部材４が位置した状態で、係合凸部６３が第二係合凹部３４に係合した状態になる。
そして、空所部６４から傾斜面により連続する段階的傾斜状突起６５の突起６５ａが、押し上げ用凸部２５に乗り上げて接触して突き当たった状態になる。
この状態で、振動等の外部の力により、ケース部品２に対しロック部品６の突出端部に矢印Ｐ１の方向に押し下げられる力が加わったとしても、ケース部品２に対するクリップ部品３の開閉は、開閉幅Ｓで開動作が規制されているため、ケース部品２とクリップ部品３の先端部間に布地Ｃが締め込まれた状態に維持される。
【００２０】
図６は図５のクリップ１をさらに閉じた二段階目のロック状態を示すもので、ケース部品２とクリップ部品３との間に物品が存在しない状態では、ケース部品２のつまみ部２７とロック部品６の突出端部を指でつまんで、ケース部品２に対し、矢印Ｐ１のように、ロック部品６の突出端部を押し下げても、ケース部品２に対するクリップ部品３の開閉幅は０に規制される。図４の開閉幅０〜開閉幅Ｌの開状態で、厚さが開閉幅Ｓより薄い衣服の布地Ｃを挿入して、つまみ部２７とロック部品６から力を開放すると、矢印Ｄのように、ねじりコイルばね５の付勢力によって、ケース部品２とクリップ部品３の先端部間に、衣服の布地Ｃが挟み込まれる。衣服の布地Ｃが挟み込まれた状態で、ケース部品２に対し、矢印Ｐ３のように、ロック部品６をさらに押し込むと、ロック部品６は、図示のように、クリップ部品３の凹段面部３２に突き当たると同時に、長穴６２の図示右端部に軸部材４が接触した状態で、係合凸部６３が第三係合凹部３５に係合した状態になる。
そして、段階的傾斜状突起６５の突起６５ａから僅かな傾斜面により連続して僅かに突出する突起６５ｂが、押し上げ用凸部２５に乗り上げて接触して突き当たった状態になる。
この状態で、振動等の外部の力が加わってケース部品２に対しロック部品６の突出端部に押し下げる力が作用しても、ケース部品２に対しクリップ部品３がこれ以上開くことはなく、矢印Ｄで示したねじりコイルばね５の付勢力によって、図示のように、ケース部品２とクリップ部品３の先端部間に布地Ｃが締め込まれた状態に維持される。
これにより、ウェアラブル端末１０を保持したクリップ１が人体の衣服から抜け落ちるのを確実に防止できる。
【００２１】
以上のとおり、ロック部品６の空所部６４と段階的傾斜状突起６５の突起６５ａ・６５ｂの各つなぎ部は、それぞれ連続する傾斜面となっているため、クリップ部品３に対しロック部品６を押し込むことで、ロック部品３がケース部品２の押し上げ用凸部２５に順次乗り上がって行く。
すなわち、押し上げ用凸部２５に対し、空所部６４から段階的傾斜状突起６５の突起６５ａに乗り上がり、次に、突起６５ａから突起６５ｂの乗り上がって行き、例えば布地Ｃが厚い場合に、その厚い布地Ｃを潰して最適な位置にロックできる等、衣服の布地Ｃの厚さによって最適な箇所でロックをかけることができる。
【００２２】
このように、ロック部品６に、ケース部品２の押し上げ用凸部２５と段階的に連続して接触する段階的傾斜状突起６５（６５ａ・６５ｂ）を付けることによって、衣服の布地Ｃの厚さに即したロックがかけられるため、あらゆる布地Ｃの厚さの衣服に対応でき、すなわち、布地Ｃの厚さに即したロックをかけて、人体の衣服からクリップ１が抜け落ちるのを防ぐことができる。
【００２３】
以上、実施形態のクリップ１によれば、クリップ部品３の軸部材４側の一端部に、他端部の方向へスライド動作可能で二つの位置で停止可能に組み付けられたロック部品６を備えて、そのロック部品６とケース部品２とが互いに接触して、ロック部品６のスライド動作の過程において、ねじりコイルバネ５の付勢力に抗して二つの位置でクリップ部品３に対しロック部品６をほぼ連続的に乗り上げ動作させる二段の段階的乗り上げ動作部８（押し上げ用凸部２５、凹所部６４及び段階的傾斜状突起６５）を備えている。
すなわち、クリップ部品３のロック部品６を組み付けるだけの少ない部品点数で構造簡単に位置規制が行えて、位置規制部である段階的乗り上げ動作部８（押し上げ用凸部２５、凹所部６４及び段階的傾斜状突起６５）が、クリップ部品３とロック部品６の間に隠されて外部に露出しないので、外観性を良好にすることができる。
【００２４】
しかも、ロック部品６には、当該ロック部品６のスライド動作の過程において、ねじりコイルバネ５の付勢力に抗して二つの位置でケース部品２の押し上げ用凸部２５に対し、当該ロック部品６をほぼ連続的に乗り上げ動作させる凹所部６４及び段階的傾斜状突起６５（６５ａ・６５ｂ）が形成されているので、制限位置での開き量を僅かでも許容して、衣服の布地Ｃの厚さによって最適な箇所でロックをかけることができる。
【００２５】
そして、クリップ部品３とロック部品６とが互いに接触して、ロック部品６のスライド動作の過程において、ロック部品６を二つの位置で係合して停止させる段階的係合停止部７（係合凹部３３・３４・３５及び係合凸部６３）も、ケース部品２とロック部品６の間に隠されて外部に露出しないので、外観性を良好にすることができる。
【００２６】
さらに、ロック部品６には、軸部材４が通される長穴６２を有する突片部６１が形成されているので、クリップ部品３に対するロック部品６のスライド量を規制して、組み付け状態を維持して脱落を防止することができる。
【００２７】
また、ケース部品２の軸部材４側の一端部に、ストラップ通し孔２８を有するつまみ部２７が備えられているため、このつまみ部２７とロック部品６の突出端部を指でつまんで、クリップ１を開閉操作することができる。
このように、ケース部品２のストラップ通し孔２８を有する部分をクリップ１のつまみ部２７として兼用することができる。
【００２８】
また、ケース部品２及びクリップ部品３には、ウェアラブル端末１０に備えられた出力情報の識別子である三個のＬＥＤ１１・１２・１３を各々露出する三個の長穴による貫通穴２９・３９がそれぞれ形成されているので、その三個の貫通穴２９・３９を見るだけで、三個のＬＥＤ１１・１２・１３のうち、どのＬＥＤが光っているかを一目で分かる。
しかも、ケース部品２及びクリップ部品３の存在によって、その各貫通穴２９・３９の奥まった位置にＬＥＤ１１・１２・１３がそれぞれあるため、屋外の日光の下でも各ＬＥＤ１１・１２・１３の発光が見やすくなっている。
【００２９】
（変形例）
以上の実施形態においては、ウェアラブル端末の身体装着用クリップとしたが、本発明はこれに限定されるものではなく、他の用途のクリップであってもよい。
また、以上の実施形態においては、衣服を挟み込む場合について説明したが、当該クリップが挟み込む物品は、例えば、リュックの肩紐等、他の物品であってもよい。
また、以上の実施形態においては、当該クリップをウェアラブル端末の付属品として別体で構成したが、ウェアラブル端末と一体で構成されたクリップであってもよい。
さらに、実施形態では、二段階ロック構造の説明としたが、クリップ部品の係合凹部の個数と、ロック部品の段階的傾斜状突起の段階数を増やすことで、三段階以上の多段階のロック機能が可能となる。
また、クリップ部材、スライド部材、段階的傾斜状突起の形状等も任意であり、その他、段階的乗り上げ動作部、段階的係合停止部の具体的な細部構造等についても適宜に変更可能であることは勿論である。 
【００３０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
対をなすクリップ部材が、軸部材を介して互いに揺動可能に結合されて、付勢部材により互いに閉じ方向に付勢されたクリップにおいて、
当該クリップの開動作を抑止するロック構造であって、当該クリップに物品を挟み込んだ状態で、操作部材を操作することにより、前記物品の厚みに応じた当該クリップの開閉幅において当該クリップの開動作を抑止するロック構造、
を備えることを特徴とするクリップ。
＜請求項２＞
前記操作部材は、前記対をなすクリップ部材の一方のクリップ部材で前記軸部材側の一端部に、他端部の方向へスライド動作可能で複数の位置で停止可能に組み付けられたスライド部材であり、
前記ロック構造は、
前記スライド部材と、
前記スライド部材と前記対をなすクリップ部材の他方のクリップ部材とが互いに接触して、前記スライド部材のスライド動作の過程において、前記付勢部材の付勢力に抗して前記複数の位置で前記他方のクリップ部材に対し前記スライド部材をほぼ連続的に乗り上げ動作させる段階的乗り上げ動作部と、
前記スライド部材と前記一方のクリップ部材とが互いに接触して、前記スライド部材のスライド動作の過程において、前記スライド部材を前記複数の位置で係合して停止させる段階的係合停止部を備えることを特徴とする請求項１に記載のクリップ。
＜請求項３＞
前記スライド部材には、当該スライド動作の過程において、前記付勢部材の付勢力に抗して前記複数の位置で前記他方のクリップ部材に対し当該スライド部材をほぼ連続的に乗り上げ動作させる段階的傾斜状突起が形成されていることを特徴とする請求項２に記載のクリップ。
＜請求項４＞
前記段階的係合停止部は、前記一方のクリップ部材の一端部側から順に離れて形成された複数の係合凹部と、前記スライド部材に形成されて前記複数の係合凹部に順に係合する係合凸部と、を備え、
前記係合凸部及び前記係合凹部はそれぞれＲが付けられており、前記スライド部材のスライド移動が可能となっていることを特徴とする請求項２又は３に記載のクリップ。
＜請求項５＞
前記スライド部材に前記軸部材を通す長穴が形成されていることを特徴とする請求項２から４のいずれか一項に記載のクリップ。
＜請求項６＞
前記他方のクリップ部材で前記軸部材側の一端部に、クリップの開閉操作の際に指でつまむためのつまみ部を備えることを特徴とする請求項２から５のいずれか一項に記載のクリップ。
＜請求項７＞
前記つまみ部にストラップ通し穴が形成されていることを特徴とする請求項６に記載のクリップ。
＜請求項８＞
前記他方のクリップ部材は、小型電子機器を装着して保持するケース部品であり、
前記ケース部品及び前記一方のクリップ部材には、前記小型電子機器の識別子を露出する貫通穴が形成されていることを特徴とする請求項２から７のいずれか一項に記載のクリップ。
【符号の説明】
【００３１】
１  クリップ
２  クリップ部材（ケース部品）
２１  ボス部
２２  端末保持部
２３  爪部
２４  カバー部
２５  押し上げ用凸部（段階的乗り上げ動作部）
２７  つまみ部
２８  ストラップ通し穴
２９  貫通穴
３  クリップ部材（クリップ部品）
３１  ボス部
３２  凹段面部
３３・３４・３５  係合凹部（段階的係合停止部）
３９  貫通穴
４  軸部材
５  付勢部材（ねじりコイルバネ）
６  スライド部材（ロック部品、操作部材）
６１  突片部
６２  長穴
６３  係合凸部（段階的係合停止部）
６４  凹所部（段階的乗り上げ動作部）
６５  段階的傾斜状突起（段階的乗り上げ動作部）
７  段階的係合停止部
８  段階的乗り上げ動作部
１０  小型電子機器（ウェアラブル端末）
１１・１２・１３  識別子（ＬＥＤ）
Ｃ  布地
【図１】
2019190507.tif 000003
【図２】
2019190507.tif 000004
【図３】
2019190507.tif 000005
【図４】
2019190507.tif 000006
【図５】
2019190507.tif 000007
【図６】
2019190507.tif 000008
【図７】
2019190507.tif 000009
【図８】
2019190507.tif 000010